(57)【要約】      （修正有）【課題】  キャップの構造を簡単にし、キャップの位置決め停止時に、クリック感を発生させると共に、キャップ側周壁を容器の肩部上面に整合させるようにした位置合わせ容器を提供する。【解決手段】  口筒部の外周にねじを刻設した容器本体とキャップとからなり、横断面形状が多角形または楕円形に形成された容器において、容器本体首部にストッパーを配設し、キャップは、外キャップと、容器本体口筒部と首部に係合すると共に、外キャップの内方に装着される内キャップとからなり、外キャップは、頂壁と側周壁を具備し、内キャップは、頂壁と筒壁、筒壁下端外周に連設され周縁が外キャップの側周壁上部に係合する垂設された係合部とを具備し、所定の係合部の内側には、下部に容器本体の首部のボトルストッパーに係合するキャップストッパーが配設され、キャップは、外キャップの頂壁と、内キャップの頂壁との一部が係合して連結されている。【選択図】  図１
2008087815.tif 000002
【特許請求の範囲】
【請求項１】
口筒部の外周にねじを刻設した容器本体とキャップとからなり、横断面形状が多角形または楕円形に形成された容器において、  
容器本体は、外周にボトルストッパーを配設した首部と、首部の下端から胴部の上端に連続する稜線部を形成した肩部とを具備しており、
キャップは、外キャップと、容器本体の口筒部と首部に係合するとともに、外キャップの内方に装着される内キャップとからなり、
外キャップは、頂壁と、下端が容器本体の肩部に係合する側周壁とを具備し、
内キャップは、頂壁と筒壁、筒壁下端外周に連設される周縁が外キャップの側周壁の形状に形成した上壁と、上壁の所定の位置に垂設される係合部とを具備し、
所定の係合部の内側には、下部に容器本体の首部のボトルストッパーに係合するキャップストッパーが配設され、
キャップは、外キャップの頂壁と、内キャップの頂壁との一部が係合して連結されていることを特徴とする位置合わせ容器。
【請求項２】
外キャップの頂壁、または、内キャップの頂壁が、外力により変形するような肉厚で形成されていることを特徴とする請求項１記載の位置合わせ容器。
【請求項３】
外キャップの頂壁下面と、内キャップの頂壁上面を接着することにより、キャップが一体化されていることを特徴とする請求項１、２記載の位置合わせ容器。  
【請求項４】
外キャップの頂壁下面に、下端外周に係合突条を設けた係合筒を垂設し、
内キャップの頂壁上面に、内周が外キャップの係合筒外周に係合し、上端内周に外キャップの係合筒の係合突条に係合する係合突条を設けた係合筒を立設し、
外キャップの頂壁下面の係合筒に、内キャップの頂壁上面の係合筒を係合させることによって、キャップが一体化されていることを特徴とする請求項１、２記載の位置合わせ容器。
【請求項５】
外キャップの頂壁の中央に開口部が穿設され、開口部側縁から内方に向かう段部を介して係合筒を垂設し、
内キャップの頂壁上面に、外周が外キャップの係合筒内周と係合し、上端に係合頂壁を具えた係合筒を突設し、
外キャップの頂壁の段部と係合筒に、内キャップの係合頂壁と係合筒を係合させることによって、キャップが一体化されていることを特徴とする請求項１、２記載の位置合わせ容器。
【請求項６】
外キャップの頂壁の下面または内キャップの頂壁の上面に、外力により変形するような肉厚で形成された部材を配設し、
該部材を、内キャップの頂壁の上面または外キャップの頂壁の下面に係合させることによって、キャップが一体化されていることを特徴とする請求項１記載の位置合わせ容器。
【請求項７】
容器本体の肩部周縁に、位置合わせ用段部が設けられていることを特徴とする請求項１〜６記載の位置合わせ容器。
【発明の詳細な説明】
【技術分野】
【０００１】
本発明は、位置合わせ容器、とくにねじ式キャップを被嵌した角形容器において、キャップ締着時に、容器本体およびキャップに設けたストッパーにより位置決めするとともに、キャップを容器本体の肩部に位置合わせするようにした位置合わせ容器に関するものである。
【背景技術】
【０００２】
容器本体とキャップとからなり、キャップを締着することにより容器内を密封するとともに、キャップ締着時に、容器本体の口筒部に設けたストッパーと、キャップに設けたストッパーとを当接させ、キャップを位置決めするようにした位置合わせ容器は、従来より知られている（例えば、特許文献１参照）。
また、キャップの位置決めと同時に、キャップと容器本体との位置合わせを行わせるようにした位置合わせ容器も、従来より知られている（例えば、特許文献２参照）。
【特許文献１】実公昭５７−４６２８７９号公報
【特許文献２】特開２００２−３２１７５２号公報
【発明の開示】
【発明が解決しようとする課題】
【０００３】
しかしながら、上記特許文献１記載の位置合わせ容器は、キャップ締着時に、回転を止めるように位置決めするとともに、キャップの逆回転を防止するために、容器本体の口筒部にストッパー（第２係止突起６）と係止部（第１係止突起５）を設け、その間に、キャップ内に設けた押圧体の突出部を係合させるようにしているので、構造が複雑で、生産コストが高くなるという問題があった。
【０００４】
上記特許文献２記載の位置合わせ容器は、容器本体にカバーを弾性的に支持させ、キャップの締着時には、キャップの側周壁下端がカバーの周辺を押下げ、定位置に位置合わせするようにしているが、部品数も多くなり、構造が複雑で、生産コストが高くなるという問題があった。
【０００５】
本発明は、上記の問題点を解決することを課題として、キャップの構造を簡単にし、キャップの位置決め停止時に、クリック感を発生させるとともに、キャップ側周壁を容器の肩部上面に整合させるようにした位置合わせ容器を提供することを目的とする。
【課題を解決するための手段】
【０００６】
本発明は、上記の課題を解決するため、位置合わせ容器として、口筒部の外周にねじを刻設した容器本体とキャップとからなり、横断面形状が多角形または楕円形に形成された容器において、容器本体は、外周にボトルストッパーを配設した首部と、首部の下端から胴部の上端に連続する稜線部を形成した肩部とを具備しており、キャップは、外キャップと、容器本体の口筒部と首部に係合するとともに、外キャップの内方に装着される内キャップとからなり、外キャップは、頂壁と、下端が容器本体の肩部に係合する側周壁とを具備し、内キャップは、頂壁と筒壁、筒壁下端外周に連設される周縁が外キャップの側周壁の形状に形成した上壁と、上壁の所定の位置に垂設される係合部とを具備し、所定の係合部の内側には、下部に容器本体の首部のボトルストッパーに係合するキャップストッパーが配設され、キャップは、外キャップの頂壁と、内キャップの頂壁との一部が係合して連結されていることを特徴とする構成を採用する。
【０００７】
外キャップと内キャップの実施例として、外キャップの頂壁、または、内キャップの頂壁が、外力により変形するような肉厚で形成されていることを特徴とする構成を採用する。
【０００８】
外キャップと内キャップの一体化の実施例として、外キャップの頂壁下面と、内キャップの頂壁上面を接着することにより、キャップが一体化されていることを特徴とする構成を採用する。
【０００９】
同じく一体化の別実施例として、外キャップの頂壁下面に、下端外周に係合突条を設けた係合筒を垂設し、内キャップの頂壁上面に、内周が外キャップの係合筒外周に係合し、上端内周に外キャップの係合筒の係合突条に係合する係合突条を設けた係合筒を立設し、外キャップの頂壁下面の係合筒に、内キャップの頂壁上面の係合筒を係合させることによって、キャップが一体化されていることを特徴とする構成を採用する。
【００１０】
同じく一体化の別実施例として、外キャップの頂壁の中央に開口部が穿設され、開口部側縁から内方に向かう段部を介して係合筒を垂設し、内キャップの頂壁上面に、外周が外キャップの係合筒内周と係合し、上端に係合頂壁を具えた係合筒を突設し、外キャップの頂壁の段部と係合筒に、内キャップの係合頂壁と係合筒を係合させることによって、キャップが一体化されていることを特徴とする構成を採用する。
【００１１】
同じく一体化の別実施例として、外キャップの頂壁の下面または内キャップの頂壁の上面に、外力により変形するような肉厚で形成された部材を配設し、該部材を、内キャップの頂壁の上面または外キャップの頂壁の下面に係合させることによって、キャップが一体化されていることを特徴とする構成を採用する。
【００１２】
容器本体の肩部の実施例として、容器本体の肩部周縁に、位置合わせ用段部が設けられていることを特徴とする構成を採用する。
【発明の効果】
【００１３】
容器本体と、キャップとからなる横断面形状が多角形または楕円形に形成された容器において、キャップを、外キャップと内キャップとから構成し、外キャップの頂壁の下面と、内キャップの頂壁の上面とを係合させて一体化したことにより、キャップ締着時に、キャップを容器本体に対して回転させた時に、所定の回転位置から外キャップの側周壁の下端面に、容器本体の肩部の稜線部が当接して外キャップまたは内キャップを変形させるとともに、キャップ締着時には、外キャップの側周壁の下端面と容器本体の肩部の稜線部との当接が外れ、外キャップまたは内キャップの復元力により、外キャップの側周壁が下降し、クリック感、クリック音を発生させることができるようになった。
【００１４】
また、外キャップの変形に対する抵抗により、キャップが逆回転することを防止することができるので、容器本体の口筒部のストッパーの構成を簡単なものにすることができる。
【発明を実施するための最良の形態】
【００１５】
次に、本発明の容器について、実施例をあげ、図面を参照して説明する。
【実施例１】
【００１６】
図１において、Ａはガラス、または合成樹脂によって成形された容器本体、Ｂは合成樹脂によって成形されたキャップであり、容器本体ＡとキャップＢは、いずれも横断面形状がほぼ四角形に形成されている。
【００１７】
容器本体Ａは、図１、２に示すように、横断面形状が円形の口筒部１と首部２、および首部２の下端から連設された肩部３、角部４ａと側面部４ｂにより横断面形状がほぼ四角形に形成された胴部４と、底部５とを具えている。
口筒部１の外周には、ねじ６が設けられている。
首部２の外周には、所定の位置にボトルストッパー７が配設されている。
【００１８】
肩部３は、首部２の下端から対角線状に延び、胴部４の各角部４ａに係合する稜線部８と、隣り合う稜線部８の間と首部２の下端と胴部４の側面部４ｂの上端で、形状がほぼ台形になる傾斜面部９により形成されており、稜線部８は、傾斜面部９に比べ、外側に突出した形になっている。
【００１９】
キャップＢは、図１、３に示すように、下端が容器本体Ａの肩部３の周辺と係合する外キャップＢ１と、内方が容器本体Ａの口筒部１と首部２に係合するとともに、外キャップＢ１の頂壁下面の中央部に、頂壁上面の中央部が超音波接着などで接着され、外キャップＢ１の内方に装着される内キャップＢ２とからなっている。
内キャップＢ２の頂壁裏面には、閉蓋時に、容器内を密封するパッキンＰが装着されている。
【００２０】
外キャップＢ１は、図３に示すように、ほぼ四角形の頂壁１０と、頂壁１０外縁に垂設される側周壁１１とからなっている。
頂壁１０は、外力によりある程度変形するような肉厚で形成され、下面中央部は、内キャップＢ２が接着される接着部１０ａとなる。
【００２１】
側周壁１１は、それぞれの角部１１ａと側面部１１ｂにより構成され、横断面形状がほぼ四角形に形成されている。
側周壁１１は、容器を閉蓋した最下降位置では、側面部１１ｂの下端面が、容器本体Ａの肩部３の稜線部８の上面に当接するような高さに形成されている。
【００２２】
内キャップＢ２は、図３に示すように、円形の頂壁１５と、頂壁１５外縁に垂設される筒壁１６と、筒壁１６下端外周に連設されるほぼ四角形の上壁１７と、上壁１７のそれぞれの角部に垂設される角部係合部１８とからなっている。
上壁１７の外縁および角部係合部１８の外側面は、外キャップＢ１の側周壁１１内周に摺動可能に係合するように形成されている。
【００２３】
頂壁１５の中央には、外キャップＢ１の頂壁１０の接着部１０ａに接着する接着凸部１９が突出されている。
筒壁１６の内周には、容器本体Ａの口筒部１のねじ６に螺合するねじ２０が設けられている。
【００２４】
それぞれの角部係合部１８の内側面には、容器本体Ａの首部２と係合する内周面１８ａが形成され、所定の角部係合部１８の内周面１８ａ下部には、首部２のボトルストッパー７に係合するキャップストッパー２１が配設されている。
【００２５】
容器本体Ａの首部２のボトルストッパー７と、内キャップＢ２の角部係合部１８のキャップストッパー２１の位置関係は、図１に示すように、キャップＢにより容器を閉蓋した際、容器本体Ａの胴部４の側面部４ｂと、外キャップの側周壁１１の側面部１１ｂとがそれぞれ平行に係合し、ほぼ面一となる状態でボトルストッパー７とキャップストッパー２１が当接して回転が停止されるように配設されている。
【００２６】
次に、本実施例の容器の使用態様と作用効果について説明する。
キャップＢは、内キャップＢ２の上壁１７、および角部係合部１８が、外キャップＢ１の側周壁１１内周に係合するように、内キャップＢ２を外キャップＢ１の内方に挿入した後、内キャップＢ２の頂壁１５の接着凸部１９上面と、外キャップＢ１の頂壁１０下面の接着部１０ａとを超音波接着などで接着することで一体化される。
【００２７】
容器の閉蓋を行う際には、容器本体Ａの口筒部１との螺合により容器本体Ａに対してキャップＢが回転しながら下降させる。
キャップＢが回転しながら下降し、図４、５（ａ）に示すように、容器本体Ａに対してキャップＢの所定の回転位置からは、外キャップＢ１の側周壁１１のそれぞれの側面部１１ｂの下端面に、容器本体Ａの肩部３のそれぞれの稜線部８が当接し、外キャップＢ１の下降が阻止される。
【００２８】
外キャップＢ１の下降が阻止されるときにキャップＢの回転が進むと、内キャップＢ２は容器本体Ａの口筒部１との螺合により回転しながら下降するが、外キャップＢ１は回転はするが下降はしない状態となり、外キャップＢ１の頂壁１０は、接着部１０ａ付近が内キャップＢ２の下降により下方に引っ張られ、中心が下方に凹むように変形していく。
【００２９】
キャップＢの回転がさらに進んでいくと、容器本体Ａの首部２のボトルストッパー７と内キャップＢ２の角部係合部１８のキャップストッパー２１が当接し、キャップＢの回転が止められる。
【００３０】
その際、図５（ｂ）に示すように、容器本体Ａの肩部３の稜線部８の上には、回転が止められる少し前の位置から、外キャップＢ１の角部１１ａがくるため、外キャップＢ１側周壁１１の下端面は稜線部８の傾斜に当接せず、外キャップＢ１の下降を阻止しないので、外キャップＢ１は、頂壁１０の変形に対する弾性により元の形に復元される。
キャップＢは、外キャップＢ１の頂壁１０の弾性で復元することにより、容器の使用者は、クリック感やクリック音などを得ることができる。
【００３１】
容器の開蓋を行う際には、容器本体Ａの口筒部１との螺合により容器本体Ａに対してキャップＢが回転しながら上昇するとともに、外キャップＢ１の側周壁１１の側面部１１ｂの下端面に、容器本体Ａの肩部３の稜線部８が当接し、外キャップＢ１の側周壁１１の上昇が加わり、一定の廻動位置まで、中心が下方に凹むように変形していくこととなる。
【００３２】
本実施例の容器は、外キャップＢ１の側周壁１１の側面部１１ｂの下端面と、容器本体Ａの肩部３の稜線部８との当接が外れる位置を、回転止めとなる位置にすることで、回転停止とともにキャップＢにクリック感を発生することができる。
また、回転の抵抗により、容器の使用者にキャップＢの回転が停止間際であることを知らせることができる。
さらに、キャップＢの逆回転に対して外キャップＢ１の側周壁１１の側面部１１ｂの下端面と、容器本体Ａの肩部３の稜線部８とが当接することによる外キャップＢ１の変形が抵抗となり、回転停止位置を保持することができる。
【実施例２】
【００３３】
次に、キャップの外キャップと内キャップとの装着方法を変えた第２実施例について説明する。
本実施例の第１実施例と同一の構成部分には、同一の符号を付して図示し、詳しい説明を省略する。
【００３４】
図６において、Ａはガラス、または合成樹脂によって成形された容器本体、Ｂａは合成樹脂によって成形されたキャップであり、いずれも横断面形状がほぼ四角形に形成されている。
【００３５】
キャップＢａは、図６、７に示すように、下端が容器本体Ａの肩部３と係合する外キャップＢａ１と、容器本体Ａの口筒部１と首部２に係合するとともに、外キャップＢａ１の内方に装着される内キャップＢａ２とからなっている。
【００３６】
外キャップＢａ１は、外力によりある程度変形するような肉厚で形成されたほぼ四角形の頂壁２５と、頂壁２５外縁に垂設される側周壁１１と、頂壁２５下面に垂設される係合筒２６とからなっている。
係合筒２６の下端外周には、係合突条２７が設けられている。
【００３７】
内キャップＢａ２は、円形の頂壁３０と、頂壁３０外縁に垂設される筒壁１６と、筒壁１６下端外周に連設されるほぼ四角形の上壁１７と、上壁１７のそれぞれの角部に垂設される角部係合部１８とからなっている。
上壁１７の外縁および角部係合部１８の外側面は、外キャップＢａ１の側周壁１１内周に摺動可能に係合するように形成されている。
【００３８】
頂壁３０の中央上面には、外キャップＢａ１の頂壁２５下面の係合筒２６外周に係合する係合筒３１が設けられている。
係合筒３１の上端内周には、下面が外キャップＢａ１の係合筒２６の係合突条２７上面に係合して抜け落ち防止となる係合突条３２が設けられている。
【００３９】
次に、本実施例の容器の使用態様と作用効果について説明する。
キャップＢａは、内キャップＢａ２を外キャップＢａ１の内方に挿入した後、外キャップＢａ１の頂壁２５の係合筒２６と内キャップＢａ２の頂壁３０の係合筒３１とを係合させて装着することで一体化される。
【００４０】
本実施例の容器は、閉蓋を行う際に、キャップ締着時には、図８に示すように、内キャップＢａ２に対して外キャップＢａ１が上昇し、内キャップＢａ２の係合筒３１と外キャップＢａ１の係合筒２６との係合により、外キャップＢａ１の頂壁２５を下方に引っ張り、中心付近が下方に凹むように変形させることができる。
その他の構成は、第１実施例と同一であり、同一の作用効果を得ることができる。
【実施例３】
【００４１】
次に、キャップの外キャップと内キャップとの装着方法を変えた第３実施例について説明する。
本実施例の第１実施例と同一の構成部分には、同一の符号を付して図示し、詳しい説明を省略する。
【００４２】
図９において、Ａはガラス、または合成樹脂によって成形された容器本体、Ｂｂは合成樹脂によって成形されたキャップであり、容器として、横断面形状がほぼ四角形に形成されている。
【００４３】
キャップＢｂは、図９、１０に示すように、下端が容器本体Ａの肩部３と係合する外キャップＢｂ１と、内方が容器本体Ａの口筒部１と首部２に係合するとともに、外キャップＢｂ１の内方に装着される内キャップＢｂ２とからなっている。
【００４４】
外キャップＢｂ１は、外力によりある程度変形するような肉厚で形成され、中央に開口部３５が穿設されたほぼ四角形の頂壁３６と、頂壁３６外縁に垂設される側周壁１１と、頂壁３６下面内縁から内方に向かう段部３７を介して垂設される係合筒３８とからなっている。
【００４５】
内キャップＢｂ２は、係合頂壁４０と、係合頂壁４０下面に垂設される係合筒４１と、係合筒４１の外周下端に連設される頂壁４２と、頂壁４２外縁に垂設される筒壁１６と、筒壁１６下端外周に連設されるほぼ四角形の上壁１７と、上壁１７のそれぞれの角部に垂設される角部係合部１８とからなっている。
【００４６】
係合頂壁４１は、下面外縁が外キャップＢｂ１の頂壁３６の段部３７上面に係合して抜け落ち防止となり、係合筒４１は、外周が外キャップＢｂ１の係合筒３８内周と係合するように形成されている。
上壁１７の外縁および角部係合部１８の外側面は、外キャップＢｂ１の側周壁１１内周が摺動可能に係合するように形成されている。
【００４７】
次に、本実施例の容器の使用態様と作用効果について説明する。
キャップＢｂは、内キャップＢｂ２を外キャップＢｂ１の内方に挿入した後、外キャップＢｂ１の頂壁３６の段部３７と係合筒３８に、内キャップＢｂ２の係合頂壁４０と係合筒４１が係合し、装着されることで一体化される。
【００４８】
本実施例の容器は、閉蓋を行う際に、図１１に示すように、内キャップＢｂ２に対して外キャップＢｂ１が上昇することで、内キャップＢｂ２の係合頂壁４０と、外キャップＢｂ１の頂壁３６の段部３７との係合により、外キャップＢｂ１の頂壁３６を引っ張り、開口部３５付近が下方に凹むように変形させることができる。
その他の構成は、第１実施例と同一であり、同一の作用効果を得ることができる。
【００４９】
前記各実施例では、キャップの外キャップの頂壁を外力によりある程度変形するような肉厚で形成するとしたが、外キャップの頂壁の代わりに、内キャップの頂壁を変形するように形成して、キャップの回転時に、外キャップの頂壁が内キャップの頂壁を上方に引っ張り、変形させるようにしてもよい。
【実施例４】
【００５０】
次に、キャップの内キャップの構成を変え、外キャップと内キャップとの装着方法を変えた第４実施例について説明する。
本実施例のキャップ以外の構成は省略し、本実施例の第１実施例と同一の構成部分には、同一の符号を付して図示し、詳しい説明を省略する。
【００５１】
キャップＢｃは、図１２に示すように、外キャップＢｃ１と、外キャップＢｃ１の内方に装着される内キャップＢｃ２とからなっている。
【００５２】
外キャップＢｃ１は、中央に開口筒部４５が設けられたほぼ四角形の頂壁４６と、頂壁４６外縁に垂設される側周壁１１とからなっており、開口筒部４５の下端内周には係合突条４７が設けられている。
【００５３】
内キャップＢｃ２は、頂壁５０と、頂壁５０の上面に立設された変形係合部５１と、頂壁５０外縁に垂設される筒壁１６と、筒壁１６下端外周に連設されるほぼ四角形の上壁１７と、上壁１７のそれぞれの角部に垂設される角部係合部１８とからなっている。
【００５４】
変形係合部５１は、外キャップＢｃ１の頂壁４６の開口筒部４５内周および係合突条４７上面に係合する係合頂壁５２と、係合頂壁５２下面に垂設される首部５３と、首部５３下端に中央が連設される変形板５４と、変形板５４下面の両外縁に垂設され、頂壁５０の上面外縁に連設する連結片５５とからなっている。
【００５５】
次に、本実施例の容器の使用態様と作用効果について説明する。
キャップＢｃは、内キャップＢｃ２を外キャップＢｃ１の内方に挿入した後、外キャップＢｃ１の頂壁４６の開口筒部４５と内キャップＢｃ２の変形係合部５１の係合頂壁５２とが係合し、装着されることで一体化される。
【００５６】
本実施例の容器は、閉蓋を行う際には、内キャップＢｃ２に対して外キャップＢｃ１が上昇することで、内キャップＢｃ２の変形係合部５１と、外キャップＢｃ１の開口筒部４５との係合により、外キャップＢｃ１の頂壁４６が変形係合部５１を引っ張り、変形係合部５１の変形板５４を首部５３付近が突出させるように変形させる。
【００５７】
変形係合部５１の変形板５４が変形することで、キャップＢｃの回転が止められる少し前の位置から、変形板５４の変形に対する弾性により外キャップＢｃ１が引っ張られ、容器の使用者は、クリック感やクリック音などを得ることができる。
その他の構成は、第１実施例と同一であり、同一の作用効果を得ることができる。
【００５８】
上記実施例では、内キャップＢｃ２の変形係合部５１の変形板５４の上方に係合頂壁５２を設け、外キャップＢｃ１の頂壁４６に係合させ、外キャップＢｃ１に内キャップＢｃ２を装着させたが、実施例１と同様に、内キャップの変形係合部の変形板の一部を直接外キャップの頂壁の下面の一部に超音波接着などで接着するようにしてもよい。
【００５９】
上記実施例では、内キャップＢｃ２の頂壁５０の上面に変形係合部５１を設けたが、外キャップＢｃ１の頂壁４６の下面に変形係合部５１を設け、内キャップＢｃ２の頂壁５０の上面に結合させるようにしてもよい。
【００６０】
前記各実施例では、肩部の形状を錐状として胴壁の角部から上方に傾斜する稜線部を設けたが、肩部を平面とし、周縁にキャップ側周壁を載置する段部を設けるようにしてもよい。
【００６１】
前記各実施例では、容器とキャップの横断面形状をほぼ四角形の形状としたが、六角形、その他の多角形、或いは楕円形としてもよい。
楕円形（トラック楕円を含む）とした場合には、内キャップの上壁を短径方向に対向し、キャップの形状に合致する弧状部と、短径方向に延びる直線部によって筒壁を囲むように形成し、上壁の下面に弧状部に沿って係合部を垂設して、該係合部にキャップストッパーを設けるようにする。
外キャップと内キャップは、内キャップの中央部で係合して連結させる。
【産業上の利用可能性】
【００６２】
本発明の容器は、キャップの締着時の終了直前の回転より、キャップの外キャップが変形し、締着時には復元して、クリック感を発生させて容器の使用者に知らせることができるので、位置合わせ容器として、食品や化粧料の容器として使えるばかりではなく、容器内を密封させることを必要とする薬品や医薬品の容器としても利用できる。
【図面の簡単な説明】
【００６３】
【図１】本発明の第１実施例の容器の説明図で、（ａ）は上面図、（ｂ）は断面立面図である。
【図２】容器本体の説明図で、（ａ）は上面図、（ｂ）は立面図である。
【図３】キャップの説明図で、（ａ）は断面立面図、（ｂ）は下面図である。
【図４】キャップの回転時の説明図で、（ａ）は上面図、（ｂ）は断面立面図である。
【図５】容器の要部拡大図で、（ａ）は位置決め前、（ｂ）は位置決め時の図である。
【図６】第２実施例の容器の説明図で、（ａ）は上面図、（ｂ）は断面立面図である。
【図７】キャップの説明図で、（ａ）は断面立面図、（ｂ）は下面図である。
【図８】容器の要部拡大図で、（ａ）は位置決め前、（ｂ）は位置決め時の図である。
【図９】第３実施例の容器の説明図で、（ａ）は上面図、（ｂ）は断面立面図である。
【図１０】キャップの説明図で、（ａ）は断面立面図、（ｂ）は下面図である。
【図１１】容器の要部拡大図で、（ａ）は位置決め前、（ｂ）は位置決め時の図である。
【図１２】第３実施例のキャップの説明図で、（ａ）は上面図、（ｂ）は断面立面図である。
【符号の説明】
【００６４】
Ａ                  容器本体
Ｂ、Ｂａ、Ｂｂ、Ｂｃ    キャップ
Ｂ１、Ｂａ１、Ｂｂ１、Ｂｃ１    外キャップ
Ｂ２、Ｂａ２、Ｂｂ２、Ｂｃ２    内キャップ
Ｐ                  パッキン  
１                  口筒部
２、５３            首部
３                  肩部
４                  胴部
４ａ、１１ａ        角部
４ｂ、１１ｂ        側面部
５                  底部
６、２０            ねじ
７                  ボトルストッパー
８                  稜線部
９                  傾斜面部
１０、１５、２５、３０、３６、４６、５０    頂壁
１０ａ              接着部
１１                側周壁
１６                筒壁
１７                上壁
１８                角部係合部
１８ａ              内周面
１９                接着凸部
２１                キャップストッパー
２６、３１、３８、４１    係合筒
２７、３２、４７    係合突条
３５                開口部
３７                段部
４０、５２          係合頂壁
４２                頂壁
４５                開口筒部
５１                変形係合部
５４                変形板
５５                連結片
【図１】
2008087815.tif 000003
【図２】
2008087815.tif 000004
【図３】
2008087815.tif 000005
【図４】
2008087815.tif 000006
【図５】
2008087815.tif 000007
【図６】
2008087815.tif 000008
【図７】
2008087815.tif 000009
【図８】
2008087815.tif 000010
【図９】
2008087815.tif 000011
【図１０】
2008087815.tif 000012
【図１１】
2008087815.tif 000013
【図１２】
2008087815.tif 000014